(57)【特許請求の範囲】
【請求項１】
前側面にディスクカートリッジ（１）用の出入口（１２）が開口しているブックケース型の収納ケースであって、
収納ケースは、ケース本体（１０）と蓋体（１１）とで構成されており、
ケース本体（１０）は、底壁（１４）と、左右一対の側壁（１５・１５）と、底壁（１４）の後縁に立設した受壁（１６）とで一体に形成されて、上面にインデックスカード（１３）用の装填口（１７）が開口しており、
蓋体（１１）は、装填口（１７）を閉止する主面壁（１８）と、主面壁（１８）の左右両側に突設した左右一対の蓋側壁（１９・１９）とを有し、ケース本体（１０）の両側壁（１５・１５）の内面と蓋体（１１）の両蓋側壁（１９・１９）の外面との間に設けた軸（２１）およびガイド溝（２２）を介してケース本体（１０）に連結されて、装填口（１７）を閉止する閉じ位置と、ガイド溝（２２）に沿って出入口（１２）から遠ざかる側へスライド移動する開放待機位置と、ガイド溝（２２）の端部において上開き揺動し、装填口（１７）を開放する開放位置とに変位できるようケース本体（１０）に支持されており、
収納ケースに収容したディスクカートリッジ（１）の凹部（６）に外側方から係合して、ディスクカートリッジ（１）の抜け出しを阻止するロック体（３０）が、蓋体（１１）の蓋側壁（１９）の内側方に設けられており、
ロック体（３０）で係合保持したディスクカートリッジ（１）の装填側端壁を受壁（１６）で受け止めて、蓋体（１１）が出入口（１２）から遠ざかる向きへスライド操作されるのを阻止することにより、ディスクカートリッジ（１）を収納ケース外へ抜き出した状態においてのみ、蓋体（１１）を閉止位置から開放待機位置へスライド開放できることを特徴とするディスクカートリッジ用の収納ケース。
【請求項２】
前記出入口（１２）の対向面壁として形成された受壁（１６）の両側端に、蓋側壁（１９）およびロック体（３０）の前後スライドを許す開口（２３）が設けられており、
蓋体（１１）とケース本体（１０）との間に、蓋体（１１）を閉じ位置において係合保持する蓋ロック（２５）が設けてある請求項１記載のディスクカートリッジ用の収納ケース。
【請求項３】
蓋体（１１）の後端両側に、前記開口（２３）を塞ぐ蓋後壁（２０）が設けられており、
蓋側壁（１９）のそれぞれにケース本体（１０）との接当干渉を防ぐ切欠（２４）が形成されていて、蓋体（１１）を水平の閉止位置からほぼ垂直の開放位置まで上開き揺動できる請求項２記載のディスクカートリッジ用の収納ケース。
【発明の詳細な説明】
【０００１】
【発明の属する技術分野】
本発明は、光ディスクや磁気ディスクに代表されるディスク状の信号記録媒体をケース内に収めてカートリッジ化してあるディスクカートリッジにおいて、これを収納する収納ケースに関する。
【０００２】
【従来の技術】
この種の収納ケースには各種の形態がある。例えば、磁気テープカートリッジや、磁気ディスクカートリッジ用として、各種の収納ケースが実用化されている。ディスクカートリッジ用の収納ケースとしては、図６に示す形態が実用に供されており、この場合のディスクカートリッジは、直径値が6.４cmの光磁気ディスク４０を薄い角箱状のカートリッジケース４１に収めた、いわゆるミニディスク（以下単に、ＭＤという）４２であって、音や映像の信号あるいはコンピュータ情報等の記録媒体として広く使用されている。
【０００３】
ＭＤ用の収納ケースは、互いに圧嵌連結される上ケース４３と下ケース４４とで薄い角箱状に形成してあり、前側面に出入口４５が開口している。収納ケースの取り扱い時にＭＤ４２が出入口４５から滑り落ちるのを防ぐために、下ケース４４の左右側壁の内奥寄りに一対のロック体４６を配置している。そこでのロック体４６は、カートリッジケース４１の下面両側に設けてある位置決め用の凹部４７と係合して、ＭＤ４２の滑落を防止している。
【０００４】
【発明が解決しようとする課題】
上記の収納ケースは、ＭＤ４２を出入口４５からケース内に差し込み装填し、あるいはＭＤ４２をロック体４６の弾性力に抗してケース外へ抜き出すだけで、ＭＤ４２の出し入れを容易に行える。問題は、販売時にインデックスカードが収納ケースの外面を覆う状態で添付してあるため、包装フィルムを開封して廃棄すると、インデックスカードの保存場所がなく、タイトルラベル等を使用するまでの間はインデックスカードを別途保存しなければならず、紛失しやすい点にある。インデックスカードの周縁を切り落とすことによって、カード全体を収納ケース内に収容して保存することは不可能ではないが、出入口４５の上下間隔が５〜６mm程度と小さいため、インデックスカードの出し入れが容易ではない。インデックスカードを出し入れする際に、カードの一部がケース内奥のロック体４６に引っ掛かる不利も避けられない。
【０００５】
上記のような不便を解消するために、本発明者は、ケース本体と、ケース本体に対して上開き揺動できる蓋体とで収納ケースを構成し、ケース本体の上面全体を開放して、そこからインデックスカーートを出し入れできるようにした収納ケースを検討した。つまり、テープカートリッジ用の収納ケースと同等のケース構造を採り入れることを考えた。しかし、蓋体を単に揺動開閉自在に支持しただけでは、ディスクカートリッジの出し入れ時に蓋体が開き操作されるおそれがあり、ケース前面に専用の出入口を開口する意味がない。落下衝撃を受けるような場合に、ディスクカートリッジが収納ケースから飛び出すおそれもある。
【０００６】
本発明の目的は、従来のＭＤ用の収納ケースと同様に、ディスクカートリッジを出入口から出し入れする収納ケースでありながら、インデックスカードをディスクカートリッジと共にケース内に収納できるようにすることにある。
本発明の目的は、ケース本体とケース本体に対して上開き揺動できる蓋体を備えており、蓋体をケース後方へスライド操作した後でないと、蓋体を開放揺動できず、しかも蓋体を閉じ位置に係合保持する蓋ロックを備えていて、使用者の明確な意図がない限りは、蓋蓋を開き操作できないディスクカートリッジ用の収納ケースを提供することにある。
本発明の目的は、ディスクカートリッジを収納ケースから取り出した状態においてのみ、蓋ロックをロック解除して、蓋体をケース後方へスライド操作でき、例えば他物との衝突や落下衝撃を受けるような場合であっても、ディスクカートリッジが収納ケースから飛び出るのを確実に防止する。
【０００７】
【課題を解決するための手段】
本発明は、前側面にディスクカートリッジ１用の出入口１２が開口しているブックケース型の収納ケースを対象とする。その収納ケースは、上面にインデックスカード１３用の装填口１７が開口してあるケース本体１０と、ケース本体１０で前後スライド自在に支持されて、スライド端において上開き揺動して装填口１７を開放できる蓋体１１とを備えている。収納ケースに収容したディスクカートリッジ１の凹部６と係合して、ディスクカートリッジ１の抜け出しを阻止するロック体３０が、蓋体１１の蓋側壁１９に設けられている。ロック体３０で係合保持したディスクカートリッジ１の装填側端壁を受け止めて、蓋体１１が出入口１２から遠ざかる向きへスライド操作されるのを阻止する受壁１６を有し、この受壁１６はケース本体１０の後端に立設されている。以て、ディスクカートリッジ１を収納ケース外へ抜き出した状態においてのみ、蓋体１１を閉止位置から開放待機位置へスライド開放できる。
【０００８】
蓋体１１は、ケース本体１０の両側壁１５と蓋体１１の蓋側壁１９との間に設けた軸２１およびガイド溝２２を介してケース本体１０に連結されていて、装填口１７を閉止する閉じ位置と、ガイド溝２２に沿って出入口１２から遠ざかる側へスライド移動する開放待機位置と、ガイド溝２２の端部において上開き揺動し、装填口１７を開放する開放位置とに変位できるようケース本体１０に支持する。受壁１６の両側端に、蓋側壁１９およびロック体３０の前後スライドを許す開口２３を設ける。蓋体１１とケース本体１０との間に、蓋体１１を閉じ位置において係合保持する蓋ロック２５を設けてある。
【０００９】
蓋体１１の後端両側には、前記開口２３を塞ぐ蓋後壁２０を設ける。蓋側壁１９のそれぞれにケース本体１０との接当干渉を防ぐ切欠２４を形成する。以て、蓋体１１を水平の閉止位置からほぼ垂直の開放位置まで上開き揺動できるようにしてある。
【００１０】
【作用】
収納ケースは、上面に装填口１７が開口されたケース本体１０と、装填口１７を揺動開閉する蓋体１１とからなるので、ディスクカートリッジ１を収納ケースから抜き取った後、蓋体１１を開き操作して装填口１７を開放することにより、インデックスカード１３を収納ケース内へ容易に収納でき、必要時には容易にケース外へ取り出せる。ディスクカートリッジ１を収納ケース内に収納した状態では、ディスクカートリッジ１と蓋体１１とがロック体３０を介して同行可能に係合連結された状態になっている。この状態のままで蓋体１１を開放待機位置へ向かってスライド操作すると、ディスクカートリッジ１とインデックスカード１３とは、使用者の意に反して同行スライドしてしまう。こうした事態を避けるために、ケース本体１０の後端に受壁１６を立設して、ディスクカートリッジ１を介して蓋体１１のスライド移動を阻止している。従って、蓋体１１はディスクカートリッジ１を収納ケース外へ取り出した状態でないとスライド操作できない。
【００１１】
蓋体１１が自重で開いたり、落下衝撃を受けて容易に開くのを防止し、収納ケースを従来ケースと同様に取り扱えるようにするために、蓋体１１を開放待機位置までスライドした後でないと上開き揺動できないようにし、さらにケース本体１０と蓋体１１との間に蓋ロック２５を設けて、使用者の明確な意図がない限りは、蓋体１１を開放できないようにしている。蓋体１１を開放待機位置までスライド操作して始めて、開放位置へ上開き揺動できるようにすることも、蓋体１１が落下衝撃等で簡単に開いてしまうのを防ぐのに役立っている。出入口１２と対向する面壁はケース本体１０と蓋体１１とのいずれの側にも設けることができる。しかし、出入口１２と対向する面壁の殆どを受壁１６で形成し、その両側端に、蓋側壁１９およびロック体３０用の開口２３を設けるケース構造を採ると、ディスクカートリッジ１の装填側端壁の殆どを受壁１６で受け止めて、蓋体１１が開放待機位置側へスライド移動するのを確実に阻止できる。
【００１２】
上記の開口２３から収納ケース内へ塵埃等が入り込むのを防ぐために、蓋体１１に設けた蓋後壁２０で開口２３を塞いでいる。蓋側壁１９に接当干渉を防ぐ切欠２４を設けてあるので、蓋体１１を垂直状に起立揺動して、装填口１７の上面全体を開放でき、従ってインデックスカード１３の出し入れを容易に行える。
【００１３】
【実施例】
（実施例１）
図１ないし図５は本発明の実施例１を示しており、これはＭＤ（ディスクカートリッジ）用の収納ケースに供するものである。図２においてＭＤ１は、光磁気ディスク２が薄角箱状のカートリッジケース３に収まっており、カートリッジケース３の上下両面の一側に開口した信号読み取り窓４がシャッター５でスライド開閉できる。カートリッジケース３の下ハーフの両側後部には、位置決め用の凹部６が半長円状に凹設されている。
【００１４】
図１および図２において、収納ケースはケース本体１０と蓋体１１とで薄形角箱状に構成してあり、ケース前側面にＭＤ１用の出入口１２が開口している。収納ケースの内部には、ＭＤ１と共にインデックスカード１３を収容できる。
【００１５】
ケース本体１０は、底壁１４と、左右一対の側壁１５・１５と、底壁１４の後縁に立設した受壁１６とを一体に形成した、ケース上面および前面が開口するプラスチック成形品からなり、ケース上面の開口をインデックスカード１３用の装填口１７として利用し、ケース前面の開口を出入口１２とする。受壁１６の高さ寸法は、収納ケースの内法高さ寸法に一致して、側壁１５と同じ高さに設定してある。蓋体１１は、装填口１７の全体を上面側から閉止する主面壁１８と、主面壁１８の左右両側の下面側に突設した左右一対の蓋側壁１９と、主面壁１８の後縁の左右両端から下方に突設した蓋後壁２０とを一体に形成したプラスチック成形品からなり、透明ないし半透明のプラスチック材で形成する。
【００１６】
インデックスカード１３はケース本体１０の内面に沿って配置される。このインデックスカード１３を容易に出し入れするために、ケース本体１０に対して蓋体１１を次のように連結し、先の装填口１７を蓋体１１で開閉する。図５に示すように、蓋体１１の左右の蓋側壁１９の中途部の下端外面に軸２１をそれぞれ外向きに突設し、ケース本体１０の左右側壁１５の後端下部に設けたガイド溝２２で軸２１を受け入れ支持する。ケース本体１０の両側壁１５の内面にはリブ２２ａを突設してあり、該リブ２２ａで各ガイド溝２２を前後方向に長い長穴に形成する。
【００１７】
これにより蓋体１１は、主面壁１８がケース本体１０の左右側壁１５の上端面で受け止められて、装填口１７を完全に閉止する閉じ位置（図１ａの状態）と、図１（ａ）の想像線で示すように全体が軸受穴２２に沿って出入口１２から遠ざかる後ろ向きへスライド移動した開放待機位置と、図１（ｂ）に示すように全体が軸２１を中心にして上開き揺動して装填口１７を全面開放する開放位置とに変位できる。蓋体１１の後方ライドを許すために、受壁１６の左右両端のそれぞれに開口２３を設けてある。さらに、蓋体１１が揺動開閉するとき、蓋側壁１９がケース本体１０の底壁１４と接当干渉するのを防ぐために、蓋側壁１９には軸２１の形成個所の後ろ側の隣接位置に逆Ｖ字形の切欠２４を設けてある。
【００１８】
蓋体１１は閉じ位置においてケース後方へのスライド遊動を阻止し、かつ上開き揺動不能に保持する必要がある。そのために、ケース本体１０と蓋体１１との間に蓋ロック２５を有する。図１および図３において蓋ロック２５は、蓋体１１の蓋側壁１９の外側面の中途部および前端に突設した前後一対のロック片２６と、ケース本体１０の左右側壁１５の内面上端寄りに突設されて、両ロック片２６の上方揺動を規制する前後一対のロック爪２７とからなる。前端のロック爪２７は断面が逆台形状の突起からなり、後ろ側のロック爪２７は蓋体１１のガイドを兼ねて前後方向に長いリブ状に形成する。前端のロック爪２７を利用して、蓋体１１の後方スライドを制限するために、前方のロック片２６の上面前端にロック爪２７と弾性係合する突部２８を形成する（図１参照）。
【００１９】
閉じ位置において、前記突部２８は前方のロック爪２７の前面側に下方から接当係合しており、軸２１は軸受穴２２の前端に位置している。蓋体１１の蓋後壁２０はケース本体１０の開口２３を閉止して塵埃等の侵入を防ぐ。この閉止状態から、蓋体１１をケース後方へ押し込み操作すると、ロック片２６が弾性変形しながら、突部２８がロック爪２７の下面をくぐり抜け、ロック爪２７より後方に位置して開放待機位置に切り換わる。このとき、軸２１は軸受穴２２の後端に位置している。
【００２０】
上記の開放待機位置においては、蓋体１１が軸２１を中心にして自由に上開き操作でき、主面壁１８は水平姿勢から９０度ないし９０度を越えて揺動した位置まで起立揺動できる。このように蓋体１１を起立開放した図１（ｂ）の状態では、装填口１７の全体が開放されるので、ケース本体１０にインデックスカード１３を容易に出し入れできる。蓋体１１は、上記の手順を逆にたどることによって閉じ位置に戻せる。
【００２１】
インデックスカード１３は、剥離台紙の片面に、タイトルや、記録内容の詳細を書き込むためのラベル等を配置してあり、剥離台紙の他面に使用上の注意書き等が印刷してある。図示例では、ケース本体１０の底壁１４と受壁２０とに沿うＬ字形の紙面で形成したインデックスカード１３を示したが、両紙面に連続して蓋体１１の主面壁１８に沿う紙面を備えていてもよい。インデックスカード１３の左右幅寸法は、ＭＤ１の左右幅寸法と同じかこれより幅狭に形成する。
【００２２】
収納ケースの取り扱い時にＭＤ１が収納ケースから滑落するのを防ぐために、蓋体１１の左右の蓋側壁１９にそれぞれロック体３０を設ける。図５においてロック体３０は、前後一対の係合爪３１を有するコ字枠状の基部３２と、基部３２の下部に連続する台形状の弾性腕３３とを一体に形成したプラスチック成形品からなる。このロック体３０を圧嵌固定するために、蓋側壁１９の後部に装着部３４を設ける。その装着部３４は、脚壁１９の上部に通設した係合爪３１用の一対の係合孔３４ａと、蓋側壁１９の下縁に切り欠き形成した弾性腕３３用の装填溝３４ｂとからなる。ロック体３０を蓋側壁１９に圧嵌固定した装着状態において、弾性腕３３は蓋側壁１９の内側方に突出していて、図４に示すようにＭＤ１の凹部６に外側方から係合できる。
【００２３】
以上のように構成した収納ケースは、インデックスカード１３をＭＤ１と共に収納ケースに収容した状態で販売でき、包装用のフィルムを開封して廃棄した場合にも、インデックスカード１３を紛失することがない。ＭＤ１はインデックスカード１３を収容した状態のままで、出入口１２から支障なく抜き差しできる。このとき、蓋側壁１９はＭＤ用のガイド壁として機能し、ケース内に収容したＭＤ１が左右にがた付くのを抑止することにも役立つ。インデックスカード１３を使用する場合には、ＭＤ１を抜き出した後、先に説明した要領で蓋体１１を開き操作して装填口１７の上面全体を開放し、装填口１７からインデックスカード１３を出し入れする。
【００２４】
上記のように蓋体１１を開放する場合には、予めＭＤ１を収納ケースから抜き出し操作する。感違いや理解不足によって、ＭＤ１を収納した状態のままで蓋体１１を開いて、ＭＤ１の出し入れを行ってしまう可能性がある。こうした誤操作を防ぐために、ケース本体１０に設けた受壁１６が役立つ。詳しくは、蓋体１１を蓋ロック２５の係合力に逆らって、ケース後方へスライド操作しようとすると、ＭＤ１の装填側端壁を受壁１６で受け止めて、それ以上に蓋体１１が後方スライドするのを阻止する。従って、蓋体１１が誤操作や落下衝撃等によって、開放待機位置までスライド開放されるのを確実に防止できる。受壁１６は、蓋体１１を片方の手で閉止位置から開放待機位置へと押し込み操作する際に、押し込み操作力に抗してケース本体１０を他方の手で受け止めるための指掛部としても役立ち、より容易に蓋体１１をスライド操作できる。
【００２５】
収納ケースの組み付けは、蓋体１１の蓋側壁１９にロック体３０を圧嵌固定したのち、蓋側壁１９に設けた軸２１をケース本体１０の軸受穴２２に差し込み係合することで終了できる。このように、小形部品であるロック体３０を蓋側壁１９に圧嵌固定して先組みする組み付け形態によれば、蓋体１１をケース本体１０と組む際に、ロック体３０が装着部３４から脱落したり、外部衝撃等を受けて組み付け姿勢が変わるのを防止でき、従来の収納ケースに比べて組み立て作業を簡単に行える。
【００２６】
受壁１６は側壁１５より低く形成でき、その場合には受壁１６の上方開口を主面壁１８と一体に形成した蓋後壁２０で塞ぐ。必要があれば、受壁１６を底壁１４の後縁に沿う複数個所に分散状に立設して、受壁１４の間の開口を蓋後壁２０で塞ぐことができる。
【００２７】
上記以外に、軸２１を本体ケース１０の側壁１５に形成し、ガイド溝２２を蓋体１１の蓋側壁１９に形成することができる。実施例におけるガイド溝２２は側壁１５を厚み方向へ貫通する状態に形成してもよい。突部２８は後側のロック片２６にも形成できる。突部２８に代わる凹部をロック爪２７側に設けておき、この凹部にロック片２６が落ち込み係合して、蓋体１１を閉止位置に係合保持するようにしてもよい。蓋体１１の蓋側壁１９は主面壁１８の後半部に限って形成できる。蓋体１１の形成素材によっては、ロック体３０を蓋側壁１９と一体に成形してもよい。
【００２８】
【発明の効果】
本発明の収納ケースは、前側面に設けた出入口１２から、ディスクカートリッジ１を出し入れする基本形態を維持しながら、蓋体１１を後方スライドしたのち上方へ開放揺動して、ケース上面の装填口１７を開放し、この装填口１７からインデックスカード１３を出し入れできるようにした。従って、インデックスカード１３を収納ケースに収容した、紛失しにくい状態で販売できるうえ、インデックスカード１３の収納ケースに対する出し入れを容易に行える。とくにＭＤ等の小形のディスクカートリッジでも、簡単にインデックスカード１３を出し入れできる。
【００２９】
ディスクカートリッジ１の凹部６が蓋体１１に設けたロック体３０で係合保持されることを利用して、ディスクカートリッジ１の装填側端壁を受け止める受壁１６をケース本体１０の後部に設け、ディスクカートリッジ１が収納ケースに収容してある状態では、その端壁を受壁１６で受け止めて、蓋体１１の閉止位置から開放待機位置へのスライド操作を阻止できるようにしたので、感違いや理解不足による蓋体１１のスライド開放操作を防止できるうえ、他物との衝突や落下衝撃等を受けて蓋体１１がスライド開放し、ディスクカートリッジ１が収納ケースから飛び出るのを確実に防止できる。蓋体１１をスライド操作して始めて、開放位置へ上開き揺動できるようにし、さらに蓋ロック２５を設けることも、蓋体１１が不用意に開くのを阻止するために役立っている。
【図面の簡単な説明】
【図１】図１（ａ）・（ｂ）は蓋体の開放状態を示す収納ケースの中央縦断側面図である。
【図２】収納ケースの内部構造を示す横断平面図である。
【図３】図２におけるＡ−Ａ線断面図である。
【図４】図２におけるＢ−Ｂ線断面図である。
【図５】蓋体とケース本体の連結部構造を示す分解斜視図である。
【図６】従来の収納ケースの一部破断平面図である。
【符号の説明】
１  ディスクカートリッジ
１０  ケース本体
１１  蓋体
１２  出入口
１３  インデックスカード
１６  受壁
１７  装填口
１９  蓋側壁
２１  軸
２２  ガイド溝
２５  蓋ロック
３０  ロック体
【図１】
0003755681.tif 000002
【図２】
0003755681.tif 000003
【図３】
0003755681.tif 000004
【図４】
0003755681.tif 000005
【図５】
0003755681.tif 000006
【図６】
0003755681.tif 000007